(57)【要約】【課題】コーナーリフレクタに特定の入射角度の電波のみをその入射方向に反射する指向性を持たせたコーナーリフレクタアレイ及びそれを用いた電波標識を提供する。【解決手段】互いに直交する３枚の電波反射板３を組み合わせてなるコーナーリフレクタ２を、同一直線上に等しい間隔ｄをおいて接続することによりコーナーリフレクタアレイ１を構成する。【選択図】図１
2007312219.tif 000002
【特許請求の範囲】
【請求項１】
互いに直交する３枚の電波反射板から構成されるコーナーリフレクタを、同一直線上に等しい間隔ｄで連結してなるコーナーリフレクタアレイ。
【請求項２】
前記間隔ｄが、前記コーナーリフレクタへの入射電波の波長λと、前記入射電波の入射角θと、整数ｎと、から下記の（１）式により算出される値に設定される請求項１に記載のコーナーリフレクタアレイ。
ｄ＝ｎλ／ｓｉｎθ  …（１）
【請求項３】
前記コーナーリフレクタが、互いに直交する３枚の三角形の電波反射板から構成される一面が開口した三角錐の形状を有する請求項１又は２に記載のコーナーリフレクタアレイ。
【請求項４】
前記電波反射板が、表面に金属膜を有する樹脂板である請求項１、２又は３に記載のコーナーリフレクタアレイ。
【請求項５】
請求項１、２、３又は４に記載のコーナーリフレクタアレイと、
前記コーナーリフレクタの連結方向と直交する方向を回転軸として前記コーナーリフレクタアレイを回転させる回転装置と、を備えた電波標識。
【発明の詳細な説明】
【技術分野】
【０００１】
本発明は、特定の入射方向からの電波を、その入射方向に反射するコーナーリフレクタアレイ及びそれを用いた電波標識に関する。
【背景技術】
【０００２】
従来から、レーダー波などの電波の反射体としてコーナーリフレクタが広く使用されている。図５に示すように、一般にコーナーリフレクタ２０は、互いに直交する３枚の電波反射板２１を組み合わせた三角錐の形状からなり、開口面に入射した電波をその入射方向へ反射する特性を有している。
【０００３】
このようにコーナーリフレクタ２０は、構造が簡易であり、かつ広い入射角度にわたり電波を入射方向へ受動的に反射することができるため、レーダーの校正や海難救助などに用いられている（例えば、特許文献１を参照。）。
【０００４】
しかしながら、特定の入射角度の電波のみを反射する指向性を有していないため、コーナーリフレクタ２０の用途の拡大を図ることが困難であるという問題があった。
【特許文献１】特開２００２−２４０７７６号公報
【発明の開示】
【発明が解決しようとする課題】
【０００５】
本発明は、このような問題点に鑑みてなされたものであり、コーナーリフレクタに特定の入射角度の電波のみをその入射方向に反射する指向性を持たせたコーナーリフレクタアレイ及びそれを用いた電波標識を提供することを目的とするものである。
【課題を解決するための手段】
【０００６】
上記の目的を達成するため、本発明のコーナーリフレクタアレイは、互いに直交する３枚の電波反射板から構成されるコーナーリフレクタを、同一直線上に等しい間隔ｄで連結してなるコーナーリフレクタアレイである。
【０００７】
上記の間隔ｄは、前記コーナーリフレクタへの入射電波の波長λと、前記入射電波の入射角θと、整数ｎと、から下記の（１）式により算出される値に設定されることが望ましい。
ｄ＝ｎλ／ｓｉｎθ  …（１）
【０００８】
コーナーリフレクタは、互いに直交する３枚の三角形の電波反射板から構成される一面が開口した三角錐の形状とすることができる。
【０００９】
電波反射板には、表面に金属膜を有する樹脂板を用いることができる。
また、本発明の電波標識は、上記のコーナーリフレクタアレイと、その連結方向と直交する方向を回転軸として前記コーナーリフレクタアレイを回転させる回転装置と、を備えたことを特徴とするものである。
【発明の効果】
【００１０】
本発明によれば、互いに直交する３枚の電波反射板から構成されるコーナーリフレクタを、同一直線上に等しい間隔ｄで連結してすることによりコーナーリフレクタアレイを構成したので、特定の入射方向からの電波を、その入射方向へ反射することができる指向性を持たせることができる。
【００１１】
このコーナーリフレクタアレイを、回転装置によりコーナーリフレクタの連結方向と直交する方向を回転軸として回転させることで、パッシブ式の電波標識として機能させることができる。
【発明を実施するための最良の形態】
【００１２】
以下に、本発明の実施の形態について、図面を参照して説明する。
本発明に係るコーナーリフレクタアレイの一例を図１に示す。
【００１３】
本発明のコーナーリフレクタアレイ１は、コーナーリフレクタ２を等しい間隔ｄでアレイ状に連結することにより構成される。それぞれのコーナーリフレクタ２は、互いに直交する３枚の電波反射板３からなる上面が開口した三角錐から構成される。なお、本図においては三角形の電波反射板３を組み合わせることで三角錐のコーナーリフレクタ２を形成しているが、電波反射板３の形状は例えば四角形や扇形など他の形状でも良い。
【００１４】
電波反射板３の材料としては、鉄、アルミニウム、銅又はステンレス鋼などの金属材料を用いることができるが、表面に導電性塗料を塗布して金属膜を形成して導体化したアクリル樹脂板やＣＦＲＰ（炭素繊維強化プラスチック）を用いて軽量化を図ることもできる。
【００１５】
それらコーナーリフレクタ２の連結方法は特に規定するものではないか、例えば図１に示すように平板４の上に順に固定する方法などがある。
【００１６】
また、間隔ｄは隣接するコーナーリフレクタの頂部５間の距離をいう。
なお、ここでは、５つのコーナーリフレクタ２を連結しているが、連結数はこれに限定されるものではない。
【００１７】
また、図２に示すように、連結方向と垂直な方向に配置された複数のコーナーリフレクタ２を１つの単位として、等しい間隔ｄでアレイ状に連結することによりコーナーリフレクタ２が面状に配置されるようにコーナーリフレクタアレイ１を構成することもできる。
【００１８】
なお、図２においては３つのコーナーリフレクタ２を１つの単位としているが、コーナーリフレクタ２の個数はこれに限られるものではない。
【００１９】
本発明のコーナーリフレクタアレイ１の特性を図３に基づいて説明する。
等しい間隔ｄをおいて連結されたコーナーリフレクタ２に、入射電波６が入射角度θで入射した場合を考える。このとき、隣接するコーナーリフレクタ２間の入射電波６の位相差は ｄsinθとなるため、入射電波６の波長をλとすると、下記の（１）式の条件が成立するときに反射電波７が励振されてピークが生じる。
ｄ＝ｎλ／ｓｉｎθ  …（１）
【００２０】
ここで、入射角度θはコーナーリフレクタ２の開口面に垂直な軸と入射電波６の入射方向がなす角度をいう。また、ｎは整数である。
【００２１】
従って、入射電波６の波長λと入射角度θが既知であれば、間隔ｄを（１）式から算出される値に設定することで、コーナーリフレクタアレイ１に入射電波６に対する指向性を持たせることができる。
【００２２】
また、このことからコーナーリフレクタアレイ１の形状を細長いアレイ形にすると、水平方向のピークが先鋭化し、垂直方向のピークは平坦化することが分かる。
【００２３】
このような特性をもつコーナーリフレクタアレイ１は、例えば電波標識や擬似目標・標的などに用いることができる。
【００２４】
その１つとして電波標識に使用した例を図４に示す。
この電波標識８は、固定台９の上部の回転装置にコーナーリフレクタアレイ１を固定したものである。回転装置は回転軸１０とモーター１１からなり、コーナーリフレクタアレイ１は回転軸１０に対してコーナーリフレクタ２の連結方向が垂直になるように接続され、コーナーリフレクタ２の開口面が略水平方向を向くように回転駆動される。
【００２５】
この電波標識８に入射する電波は、コーナーリフレクタアレイ１が特定の回転位置になったときにのみ反射されるため、電波を発射する側からみると、あたかも点滅しているようにみえることになる。コーナーリフレクタアレイ１は受動的に電波を反射するので電波発信装置を不要とすることができるため、構造が簡単で経済的なパッシブ式の電波標識８として、航路標識や位置標識に用いることができる。
【図面の簡単な説明】
【００２６】
【図１】本発明のコーナーリフレクタアレイの構造を示す斜視図である。
【図２】本発明のコーナーリフレクタアレイの別の実施例の構造を示す斜視図である。
【図３】本発明のコーナーリフレクタアレイの特性を説明する模式図である。
【図４】本発明のコーナーリフレクタアレイを用いた電波標識の斜視図である。
【図５】コーナーリフレクタの構造を示す斜視図である。
【符号の説明】
【００２７】
１  コーナーリフレクタアレイ
２  コーナーリフレクタ
３  電波反射板
４  連結用平板
５  コーナーリフレクタの頂部
６  入射電波
７  反射電波
８  電波標識
９  固定台
１０  回転軸
１１  モーター
２０  コーナーリフレクタ
２１  電波反射板
【図１】
2007312219.tif 000003
【図２】
2007312219.tif 000004
【図３】
2007312219.tif 000005
【図４】
2007312219.tif 000006
【図５】
2007312219.tif 000007